(57)【特許請求の範囲】
【請求項１】
第１画像と、前記第１画像上に形成される第２画像とを含む合成画像を具備した情報記録体であって、
前記第１画像と、前記第２画像とは、それぞれ観察角度によって反射光量の異なるインクにより印刷され、
前記合成画像は、観察角度によって一方の画像を読取装置により認識可能であり、かつ、前記一方の画像は、人が一見しただけでは無意味な画像であり、
前記第２画像は、空間周波数領域における特徴点に規則性を有する画像であり、
前記第１画像は、空間周波数領域における特徴点のうち少なくとも１点以上の前記特徴点が前記規則性を阻害する位置に配置される画像であること、
を特徴とする情報記録体。
【請求項２】
第１画像と、前記第１画像上に形成される第２画像とを含む合成画像を具備した情報記録体であって、
前記第１画像と、前記第２画像とは、それぞれ観察角度によって反射光量の異なるインクにより印刷され、
前記合成画像は、観察角度によって一方の画像を読取装置により認識可能であり、
前記第２画像は、空間周波数領域における特徴点に規則性を有する画像であり、
前記第１画像は、空間周波数領域における特徴点のうち少なくとも１点以上の前記特徴点が前記規則性を阻害する位置に配置される画像であり、
前記第１画像の空間周波数領域における特徴点により表される第１形状と、前記第２画像の空間周波数領域における特徴点により表される第２形状とが、同一形状又は相似形状であること、
を特徴とする情報記録体。
【請求項３】
請求項２に記載の情報記録体において、
前記第１形状及び前記第２形状は、反復形状であること、
を特徴とする情報記録体。
【請求項４】
請求項１から請求項３までのいずれかに記載の情報記録体において、
前記第１画像と、前記第２画像とは、空間周波数領域における特徴点が特定位置上に現れる画像であること、
を特徴とする情報記録体。
【請求項５】
第１画像と、前記第１画像上に形成される第２画像とを含む合成画像を具備した情報記録体であって、
前記第１画像と、前記第２画像とは、それぞれ観察角度によって反射光量の異なるインクにより印刷され、
前記合成画像は、観察角度によって一方の画像を読取装置により認識可能であり、
前記第２画像は、空間周波数領域における特徴点に規則性を有する画像であり、
前記第１画像は、空間周波数領域における特徴点のうち少なくとも１点以上の前記特徴点が前記規則性を阻害する位置に配置される画像であり、
前記第１画像と、前記第２画像とは、空間周波数領域における特徴点が特定位置上に現れる画像であり、
前記第２画像の空間周波数領域における特徴点は、前記第１画像の空間周波数領域における特徴点及び特徴点の近接点同士を結ぶ線上の点の少なくとも一方に有すること、
を特徴とする情報記録体。
【請求項６】
請求項１から請求項５までのいずれかに記載の情報記録体において、
前記第２画像の空間周波数領域における特徴点は、コードに対応するものであること、
を特徴とする情報記録体。
【請求項７】
請求項１から請求項６までのいずれかに記載の情報記録体において、
前記第１画像は、明度の低い色要素で形成され、
前記第２画像は、前記第１画像の観察側に配置され、前記第１画像より明度の高い色要素で形成されたものであること、
を特徴とする情報記録体。
【請求項８】
請求項７に記載の情報記録体において、
前記第１画像は、光輝材料で形成され、
前記第２画像は、透明素材で形成されること、
を特徴とする情報記録体。
【発明の詳細な説明】
【技術分野】
【０００１】
本発明は、情報記録体に関する。
【背景技術】
【０００２】
従来、画像等に特定の情報を埋め込む電子透かしの技術がある。この技術を印刷物に用いれば、人間が視覚で認識できないレベルで情報を埋め込むことができ、印刷物における美術的な効果を損なうことがない。また、印刷物に埋め込まれた情報は、読取装置で読み取ることができる。
【０００３】
電子透かしの技術を用いた印刷物として、印刷物に明度の高い色要素と、明度の低い色要素とを有する複数の線画像を備え、明度の高い色要素からなる線画像には、埋め込むべき情報に応じた周波数成分が抽出されるように設定された同心円万線を配置した領域を有するようにし、他方、明度の低い色要素からなる線画像は、同心円万線の周波数成分とは異なる周波数成分からなる同心円万線とは異なる形状を成す画像群によって形成された領域を有するようにしたものが開示されている（例えば、特許文献１）。
【０００４】
特許文献１に開示された印刷物は、明度の高い色要素からなる線画像に情報の埋め込みがされる。そして、明度の低い色要素の線画像を周波数変換したものと、明度の高い色要素の線画像を周波数変換したものとは、異なる形状である。各々の周波数変換後の形状が異なるので、各線画像の周波数変換前の形状を推定できるものである。
【先行技術文献】
【特許文献】
【０００５】
【特許文献１】特開２０１３−７０２２０号公報
【発明の概要】
【発明が解決しようとする課題】
【０００６】
しかし、埋め込み情報を真贋判定に用いる場合には、複製物からは、埋め込み情報を推定されにくいものが望ましい。
【０００７】
本発明は、埋め込み情報を推定されにくいように工夫した情報記録体を提供することを目的とする。
【課題を解決するための手段】
【０００８】
本発明は、以下のような解決手段により、前記課題を解決する。
第１の発明は、第１画像と、前記第１画像上に形成される第２画像とを含む合成画像を具備した情報記録体であって、前記第１画像と、前記第２画像とは、それぞれ観察角度によって反射光量の異なるインクにより印刷され、前記合成画像は、観察角度によって一方の画像を認識可能であり、前記第２画像は、空間周波数領域における特徴点に規則性を有する画像であり、前記第１画像は、空間周波数領域における特徴点が前記規則性を阻害する位置に配置される画像であること、を特徴とする情報記録体である。
第２の発明は、第１の発明の情報記録体において、前記第１画像の空間周波数領域における特徴点により表される第１形状と、前記第２画像の空間周波数領域における特徴点により表される第２形状とが、同一形状又は相似形状であること、を特徴とする情報記録体である。
第３の発明は、第２の発明の情報記録体において、前記第１形状及び前記第２形状は、反復形状であること、を特徴とする情報記録体である。
第４の発明は、第１の発明から第３の発明までのいずれかの情報記録体において、前記第１画像と、前記第２画像とは、空間周波数領域における特徴点が特定位置上に現れる画像であること、を特徴とする情報記録体である。
第５の発明は、第４の発明の情報記録体において、前記第２画像の空間周波数領域における特徴点は、前記第１画像の空間周波数領域における特徴点及び特徴点の近接点同士を結ぶ線上の点の少なくとも一方に有すること、を特徴とする情報記録体である。
第６の発明は、第１の発明から第５の発明までのいずれかの情報記録体において、前記第２画像の空間周波数領域における特徴点は、コードに対応するものであること、を特徴とする情報記録体である。
第７の発明は、第１の発明から第６の発明までのいずれかの情報記録体において、前記第１画像は、明度の低い色要素で形成され、前記第２画像は、前記第１画像の観察側に配置され、前記第１画像より明度の高い色要素で形成されたものであること、を特徴とする情報記録体である。
第８の発明は、第７の発明の情報記録体において、前記第１画像は、光輝材料で形成され、前記第２画像は、透明材料で形成されること、を特徴とする情報記録体である。
第９の発明は、第１の発明から第８の発明までのいずれかの情報記録体が有する画像を読み取る読取部と、前記読取部により読み取られた画像を各周波数成分に分解して空間周波数領域に変換する周波数変換部と、前記周波数変換部により変換された前記空間周波数領域における特徴点を取得する特徴点取得部と、を備える読取装置である。
第１０の発明は、第９の発明の読取装置として機能させるためのプログラムである。
【発明の効果】
【０００９】
本発明によれば、埋め込み情報を推定されにくいように工夫した情報記録体、読取装置及びプログラムを提供することができる。
【図面の簡単な説明】
【００１０】
【図１】本実施形態に係る印刷物を説明するための図である。
【図２】本実施形態に係る情報記録体の構造に基づく観察態様を説明するための図である。
【図３】本実施形態に係る情報記録体のパターン画像の例を示す図である。
【図４】本実施形態に係るパターン画像を周波数変換した際の空間周波数領域を説明するための図である。
【図５】本実施形態に係るパターン画像を周波数変換した際の空間周波数領域を説明するための図である。
【図６】本実施形態に係るパターン画像を周波数変換した際の空間周波数領域を説明するための図である。
【図７】本実施形態に係るパターン画像を周波数変換した際の空間周波数領域を説明するための図である。
【図８】本実施形態に係る読取装置の機能ブロック図である。
【図９】本実施形態に係る読取装置でのコード特定処理を示すフローチャートである。
【図１０】本実施形態に係る印刷物のコピー時の照明光源とカメラとの位置関係を説明するための図である。
【図１１】本実施形態に係る印刷物のコピー品を説明するための図である。
【図１２】変形形態に係る情報記録体のパターン画像の例を示す図である。
【発明を実施するための形態】
【００１１】
以下、本発明を実施するための形態について、図を参照しながら説明する。なお、これは、あくまでも一例であって、本発明の技術的範囲はこれに限られるものではない。
（実施形態）
図１は、本実施形態に係る印刷物１０を説明するための図である。
図２は、本実施形態に係る情報記録体３０の構造に基づく観察態様を説明するための図である。
【００１２】
＜印刷物１０＞
図１（Ａ）に示す印刷物１０は、例えば、映画やコンサート等のチケットである。印刷物１０は、例えば、それ自体に金銭的な価値を有するが、印刷物１０をコピーしたコピー品は、金銭的な価値を有さない。印刷物１０は、用紙１１と、情報記録体３０とを備える。
用紙１１は、印刷物１０の基礎となる基材であり、例えば、白色用紙から形成される。なお、用紙１１は、白色用紙に限らず、上質紙、コート紙、プラスチックカード等、印刷画像を担持できる平面を有していれば、他のものであってもよい。印刷画像は、この例では、チケットの内容に関するものである。
【００１３】
＜情報記録体３０の構造＞
用紙１１の表面側には、情報記録体３０を有する。情報記録体３０は、潜像印刷によって、例えば、コード等の真贋判定に用いる情報が印刷されたものである。情報記録体３０に印刷された画像は、用紙１１の観察方向を変えることで変わるものである。そのため、情報記録体３０は、ホログラムと似たような効果を得ることができる。
図１（Ｂ）は、図１（Ａ）におけるＸ−Ｘ方向断面の部分模式図である。図１（Ｂ）に示すように、情報記録体３０は、用紙１１上に、光輝層３１と、透明層３２とを備える。光輝層３１は、光輝性材料を含むインキによって、パターン画像（第１画像）が印刷された層である。また、透明層３２は、透明なインキによって、光輝層３１のパターン画像とは異なるパターン画像（第２画像）が印刷された層である。透明層３２は、光輝層３１上に形成される。
上述の構成を備えた情報記録体３０は、例えば、特許第４６０４２０９号に記載された方法により製造できる。
【００１４】
ここで、情報記録体３０の製造方法を、簡単に説明する。
まず、予めチケットの内容を印刷済の用紙１１を用意し、用紙１１の上に光輝層３１として、光輝性材料を含む光沢インキ等で、パターン画像をグラビア印刷する。パターン画像を描く光輝性材料を含むインキは、例えば、アルミニウム粉末、銅粉末、亜鉛粉、錫粉、又はリン化鉄等を成分とする銀色、青味金色又は赤味金色を示す光輝性材料を含むインキである。
次に、この光輝層３１のパターン画像上に、透明層３２として、透明なインキ等で別のパターン画像を重ねてグラビア印刷する。このパターン画像を描くインキは、例えば、マットＯＰニス、透明ニス、インキワニス、透明インキ又はメジウムインキ等である。なお、これらのインキは、紫外線硬化型インキ、酸化重合型インキ、浸透型インキ、過熱乾燥インキ、蒸発乾燥インキ等のいずれの印刷インキであってもよい。
【００１５】
以下、情報記録体３０の印刷工程で印刷される一定面積の印刷領域において、下地を隠蔽しうる面積を％で表した印刷条件を面積率とし、特に網点で下地を隠しうる場合を網点面積率として、光輝層３１及び透明層３２の印刷を説明する。
図２（Ａ）は、光輝層３１に画像「Ａ」を印刷し、透明層３２に画像「Ｂ」を印刷した場合を示す。なお、この例では、分かりやすいようにパターン画像ではなく画像「Ａ」及び「Ｂ」を用いて説明する。
光輝層３１は、前景部３１ａと、背景部３１ｂとを有する。前景部３１ａは、画像「Ａ」そのものであり、網点面積率１００％の印刷がされている。また、背景部３１ｂは、網点面積率７５％の印刷がされている。但し、この割合は、一例であって、これに限定されない。例えば、前景部３１ａの網点面積率が１００％未満であってもよく、また、背景部３１ｂの網点面積率が７５％以外であってもよい。その場合には、前景部３１ａと、背景部３１ｂとの網点面積率の差が１５％以上５０％以下になるようにするのが望ましい。また、前景部３１ａと、背景部３１ｂとの疎密が逆であってもよい。
【００１６】
また、透明層３２は、前景部３２ａと、背景部３２ｂとを有する。前景部３２ａは、画像「Ｂ」そのものであり、網点面積率１００％の印刷がされている。また、背景部３２ｂは、網点面積率２５％の印刷がされている。但し、この割合も一例であって、これに限定されない。例えば、前景部３２ａの網点面積率は、１００％未満であってもよく、また、背景部３２ｂの網点面積率は、前景部３２ａとの間で所定の差があれば、網点面積率２５％以上であっても以下であってもよい。また、前景部３２ａと、背景部３２ｂとの疎密が逆であってもよい。
また、前景部３２ａと背景部３２ｂとの疎密差は、前景部３１ａと背景部３１ｂとの疎密差よりも大きい。
【００１７】
上述の印刷工程は、グラビア印刷に限らず、ウェットオフセット印刷、ドライオフセット印刷、凸版印刷、水無平版印刷、フレキソ印刷、スクリーン印刷及び凹版印刷等であってもよい。
【００１８】
上述の印刷工程で印刷された情報記録体３０は、観察する視点の角度（観察角度）によって、認識可能な画像が変化する。
図２（Ｂ）は、拡散反射領域及び正反射（鏡面反射）領域での照明光源２１と、視点２２と、情報記録体３０との３つの位置関係を図示したものである。照明光源２１と情報記録体３０との位置に対して、位置Ｐ１に視点２２（２２ａ）があるとき、拡散反射領域で観察したことになる。また、照明光源２１と情報記録体３０との位置に対して、位置Ｐ２に視点２２（２２ｂ）があるとき、正反射領域で観察したことになる。
【００１９】
図２（Ｃ）において、情報記録体３０が光輝層３１のみからなる場合には、拡散反射領域においては、画像「Ａ」の前景部３１ａと背景部３１ｂとの疎密差により反射光量に大きく差が生じるため、前景部３１ａと背景部３１ｂとが区別できる。つまり、画像「Ａ」が見える（＃１）。また、正反射領域においては、前景部３１ａと背景部３１ｂとが共に反射光量が大きくなるため、その差を感知できず、前景部３１ａと背景部３１ｂとは、区別できなくなる（＃２）。
【００２０】
次に、情報記録体３０が透明層３２のみからなる場合には、拡散反射領域においては、前景部３２ａと背景部３２ｂとは、透明なため区別できない（＃３）。また、正反射領域においては、前景部３２ａと背景部３２ｂとの疎密差で反射光量が変わるため、前景部３２ａと背景部３２ｂとが区別できる。つまり、画像「Ｂ」が見える（＃４）。
そして、情報記録体３０が光輝層３１上に透明層３２が形成されたものである場合には、拡散反射領域においては、前景部３１ａと背景部３１ｂとが区別でき、前景部３２ａと背景部３２ｂとが区別できないため、全体としては、前景部３１ａと背景部３１ｂとが観察される（＃５）。また、正反射領域においては、前景部３１ａと背景部３１ｂとは区別できないが、前景部３２ａと背景部３２ｂとが区別でき、全体として前景部３２ａと背景部３２ｂとが観察される（＃６）。
【００２１】
このように、光輝層３１と、透明層３２とは、観察角度によって反射光量が異なるインキを用いることで、光輝層３１の画像と、透明層３２の画像とは、観察角度によって見えたり見えなかったり、と様々な見せ方をさせることができる。
【００２２】
上述の技術を利用した本実施形態の実施方法について、以下に説明する。
図３は、本実施形態に係る情報記録体３０のパターン画像の例を示す図である。
図４から図７までは、本実施形態に係るパターン画像を周波数変換した際の空間周波数領域Ｆを説明するための図である。
【００２３】
＜実施例１＞
図３（Ａ）は、光輝層３１の画像Ｃ１（第１画像）及びその一部である領域Ｅ１を拡大したものを示す。光輝層３１は、画像Ｃ１が印刷された層である。画像Ｃ１は、領域Ｅ１に示すように、前景部Ｃ１ａと、背景部Ｃ１ｂとを２値で表したパターン画像である。前景部Ｃ１ａと、背景部Ｃ１ｂとの網点面積率は、図２の例で説明した前景部３１ａと、背景部３１ｂとの網点面積率と同じである。
図３（Ｂ）は、透明層の画像Ｃ２（第２画像）及びその一部である領域Ｅ２を拡大したものを示す。透明層３２は、画像Ｃ２が印刷された層である。画像Ｃ２は、領域Ｅ２に示すように、前景部Ｃ２ａと、背景部Ｃ２ｂとを２値で表したパターン画像である。前景部Ｃ２ａと、背景部Ｃ２ｂとの網点面積率は、図２の例で説明した前景部３２ａと、背景部３２ｂとの網点面積率と同じである。
このように、情報記録体３０の光輝層３１の画像Ｃ１と、透明層３２の画像Ｃ２とは、パターン画像であるので、人が一見しただけでは意味のない画像である。
【００２４】
図４（Ａ）は、光輝層３１の画像Ｃ１（図３（Ａ）参照）に対してフーリエ変換を行うことで周波数変換した空間周波数領域Ｆ１を示す。空間周波数領域Ｆ１には、画像Ｃ１が周波数変換されたことで表される複数の特徴点により表される形状が、原点Ｏ１とし、半径の異なる複数の円周である反復形状Ｔ１（第１形状）として形成される。
図４（Ｂ）は、透明層３２の画像Ｃ２（図３（Ｂ）参照）に対してフーリエ変換を行うことで周波数変換した空間周波数領域Ｆ２を示す。空間周波数領域Ｆ２には、画像Ｃ２が周波数変換されたことで表される複数の特徴点により表される形状が、原点Ｏ２とし、半径の異なる複数の円周である反復形状Ｔ２（第２形状）として形成される。なお、反復形状Ｔ２は、コードとして意味のあるものである。
このように、反復形状Ｔ１と、反復形状Ｔ２とは、同じ円周形状である。そして、この例の場合、反復形状Ｔ２は、反復形状Ｔ１より、隣り合う径の間隔が広いものである。
【００２５】
図４（Ｃ）は、図３（Ａ）に示す光輝層３１の画像Ｃ１と、図３（Ｂ）に示す透明層３２の画像Ｃ２との合成画像に対してフーリエ変換を行うことで周波数変換した空間周波数領域Ｆを示す。
図４（Ｃ）に示す空間周波数領域Ｆに表された反復形状Ｔ０は、原点Ｏとし、半径の異なる複数の円周であって、反復形状Ｔ１と、反復形状Ｔ２とを合成した円周形状である。よって、反復形状Ｔ０を見る限りにおいて、反復形状Ｔ１と、反復形状Ｔ２とを区別できず、いずれのものであるかが分からない。そのため、空間周波数領域Ｆからは、反復形状Ｔ２を構成する特徴点により表される形状が示すコードを推定できない。
【００２６】
＜実施例２−１＞
図５（Ａ）は、図示しない光輝層３１のあるパターン画像に対してフーリエ変換を行うことで周波数変換した空間周波数領域Ｆ１を示す。空間周波数領域Ｆ１には、光輝層３１のパターン画像が周波数変換されたことで表される複数の特徴点Ｄ１により表される形状（第１形状）が、円周形状Ｔ１１（特定位置）上に形成される。
図５（Ｂ）は、光輝層３１のパターン画像とは異なる図示しない透明層３２のあるパターン画像に対してフーリエ変換を行うことで周波数変換した空間周波数領域Ｆ２を示す。空間周波数領域Ｆ２には、透明層３２のパターン画像が周波数変換されたことで表される複数の特徴点Ｄ２により表される形状（第２形状）が、円周形状Ｔ１２（特定位置）上に形成される。なお、特徴点Ｄ２により表される形状は、コードとして意味のあるものである。
【００２７】
図５（Ｃ）は、光輝層３１のパターン画像と、透明層３２のパターン画像とを含む合成画像に対してフーリエ変換を行うことで周波数変換した空間周波数領域Ｆを示す。
図５（Ｃ）に示す空間周波数領域Ｆに表された円周形状Ｔ１０は、円周形状Ｔ１１及び円周形状Ｔ１２と同じ半径の円周である。そして、円周形状Ｔ１０上に有する特徴点Ｄ０により表される形状は、図５（Ａ）に示す特徴点Ｄ１により表される形状と同じである。よって、円周形状Ｔ１０を見る限りにおいて、特徴点Ｄ２により表される形状を、有無を含めて判別できない。そのため、空間周波数領域Ｆからは、円周形状Ｔ１２上に有する特徴点Ｄ２により表される形状が示すコードを推定できない。
【００２８】
なお、図５に示した円周形状Ｔ１１，Ｔ１２，Ｔ１０は、いずれもイメージを記載したものであり、実際には、表されないものである。
また、上述の実施例２−１では、特徴点Ｄ２が特徴点Ｄ１と一致するものを説明したが、これに限定されるものではない。特徴点Ｄ１と特徴点Ｄ２とが一致していないものであってもよい。
【００２９】
＜実施例２−２＞
次に、特徴点が一致していないものを説明する。
図６（Ａ）は、図示しない光輝層３１のあるパターン画像に対してフーリエ変換を行うことで周波数変換した空間周波数領域Ｆ１を示す。空間周波数領域Ｆ１には、光輝層３１のパターン画像が周波数変換されたことで表される複数の特徴点Ｄ１−２により表される形状（第１形状）が、円周形状Ｔ１１−２（特定位置）上に形成される。
図６（Ｂ）は、光輝層３１のパターン画像とは異なる図示しない透明層３２のあるパターン画像に対してフーリエ変換を行うことで周波数変換した空間周波数領域Ｆ２を示す。ここでは、あるパターン画像が図５（Ｂ）と同じ画像であるものを例に説明する。空間周波数領域Ｆ２には、透明層３２のパターン画像が周波数変換されたことで表される複数の特徴点Ｄ２−２により表される形状（第２形状）が、円周形状Ｔ１２−２（特定位置）上に形成される。なお、特徴点Ｄ２−２により表される形状は、コードとして意味のあるものである。
【００３０】
図６（Ｃ）は、光輝層３１のパターン画像と、透明層３２のパターン画像とを含む合成画像に対してフーリエ変換を行うことで周波数変換した空間周波数領域Ｆを示す。
図６（Ｃ）に示す空間周波数領域Ｆに表された円周形状Ｔ１０−２は、円周形状Ｔ１１−２及び円周形状Ｔ１２−２と同じ半径の円周である。よって、特徴点Ｄ１−２と、特徴点Ｄ２−２とが一致していない場合であっても、円周形状Ｔ１０−２を見る限りにおいて、特徴点Ｄ１−２と、特徴点Ｄ２−２とを判別できない。そのため、空間周波数領域Ｆからは、円周形状Ｔ１２−２上に有する特徴点Ｄ２−２により表される形状が示すコードを推定できない。
なお、図６に示した円周形状Ｔ１１−２，Ｔ１２−２，Ｔ１０−２も、図５と同様であって、いずれもイメージを記載したものであり、実際には、表されないものである。
【００３１】
＜実施例３＞
図７（Ａ）は、図示しない光輝層３１のさらに別のパターン画像に対してフーリエ変換を行うことで周波数変換した空間周波数領域Ｆ１を示す。空間周波数領域Ｆ１には、光輝層３１のパターン画像が周波数変換されたことで表される複数の特徴点Ｇ１により表される形状（第１形状）が、格子形状Ｔ２１（特定位置）上に形成される。
図７（Ｂ）は、光輝層３１のパターン画像とは異なる図示しない透明層３２のさらに別のパターン画像に対してフーリエ変換を行うことで周波数変換した空間周波数領域Ｆ２を示す。空間周波数領域Ｆ２には、透明層３２のパターン画像が周波数変換されたことで表される複数の特徴点Ｇ２により表される形状（第２形状）が、格子形状Ｔ２２（特定位置）上に形成される。なお、特徴点Ｇ２により表される形状は、コードとして意味のあるものである。
【００３２】
図７（Ｃ）は、光輝層３１のパターン画像と、透明層３２のパターン画像とを含む合成画像に対してフーリエ変換を行うことで周波数変換した空間周波数領域Ｆを示す。
図７（Ｃ）に示す空間周波数領域Ｆに表された格子形状Ｔ２０は、格子形状Ｔ２１及び格子形状Ｔ２２と同じ格子形状である。そして、格子形状Ｔ２０上に有する特徴点Ｇ０により表される形状は、図７（Ａ）に示す特徴点Ｇ１により表される形状に、図７（Ｂ）に示す特徴点Ｇ２により表される形状が一部重なっている。よって、特徴点Ｇ０により表される形状は、特徴点Ｇ１により表される形状と、特徴点Ｇ２により表される形状とのいずれのものであるか判別できない。よって、格子形状Ｔ２０を見る限りにおいて、特徴点Ｇ２により表される形状を判別できない。そのため、空間周波数領域Ｆからは、格子形状Ｔ２２上に有する特徴点Ｇ２により表される形状が示すコードを推定できない。
【００３３】
＜読取装置５＞
次に、印刷物１０の情報記録体３０からコードを読み取る読取装置５について説明する。
図８は、本実施形態に係る読取装置５の機能ブロック図である。
読取装置５は、例えば、スキャナが接続されたパーソナルコンピュータである。
読取装置５は、制御部５０と、記憶部６０と、読取部６５と、操作部６７と、表示部６８とを備える。
制御部５０は、読取装置５の全体を制御するＣＰＵ（中央処理装置）である。制御部５０は、記憶部６０に記憶されているＯＳ（オペレーティングシステム）やアプリケーションプログラムを適宜読み出して実行することにより、上述したハードウェアと協働し、各種機能を実行する。
制御部５０は、画像受付部５１と、周波数変換部５２と、解析部５３（特徴点取得部）と、コード特定部５４とを備える。
画像受付部５１は、情報記録体３０を読取部６５が読み取ることで、読取部６５を介して情報記録体３０の画像データを受け付ける。
周波数変換部５２は、画像受付部５１が受け付けた画像データに対してフーリエ変換を用いて各周波数成分に分解して空間周波数領域Ｆに変換する周波数変換を行う。
解析部５３は、空間周波数領域Ｆに表示された特徴点を取得する。
コード特定部５４は、コードテーブル６２を参照して、解析部５３により取得された特徴点からコードを特定する。
【００３４】
記憶部６０は、制御部５０が各種の処理を実行するために必要なプログラム、データ等を記憶するためのハードディスク、半導体メモリ素子等の記憶領域である。
なお、コンピュータとは、制御部、記憶装置等を備えた情報処理装置をいい、読取装置５は、制御部５０、記憶部６０等を備えた情報処理装置であり、コンピュータの概念に含まれる。
記憶部６０は、変換プログラム６１と、コードテーブル６２とを記憶している。
変換プログラム６１は、制御部５０の各機能を実行するためのプログラムである。
コードテーブル６２は、各特徴点の配置位置と、コードとを対応付けたテーブルである。各特徴点の配置位置は、透明層３２のパターン画像を周波数変換して得られる空間周波数領域Ｆ２に表れた特徴点の配置位置に対応する。
【００３５】
読取部６５は、例えば、スキャナであって、画像や文字等の印刷内容を読み取る装置である。
操作部６７は、例えば、キーボードやマウス等であって、ユーザが入力するための装置である。
表示部６８は、例えば、液晶ディスプレイ装置等である。
なお、操作部６７と、表示部６８とは、例えば、タッチパネルディスプレイ等の両方の機能を備えた装置であってもよい。
【００３６】
＜読取装置５の処理＞
次に、読取装置５の処理について説明する。
図９は、本実施形態に係る読取装置５でのコード特定処理を示すフローチャートである。
ステップＳ（以下、単に「Ｓ」という。）１０において、読取装置５の制御部５０は、読取部６５を起動させる。
Ｓ１１において、制御部５０（画像受付部５１）は、読取部６５を介して画像を読み取る。
ここで、ユーザは、読取部６５を、情報記録体３０の透明層３２が有するパターン画像のみを読取可能な角度から、画像を読み取ることができる。また、ユーザは、読取部６５を、情報記録体３０の光輝層３１が有するパターン画像のみを読取可能な角度から、画像を読み取ることができる。さらに、ユーザは、読取部６５を、情報記録体３０の光輝層３１及び透明層３２の両方が有するパターン画像を読取可能な角度から、画像を読み取ることができる。
【００３７】
Ｓ１２において、制御部５０（周波数変換部５２）は、読み取った画像に対してフーリエ変換（周波数変換処理）を行う。
Ｓ１３において、制御部５０（解析部５３）は、空間周波数領域Ｆにおける特徴点を取得する。
Ｓ１４において、制御部５０（コード特定部５４）は、コードテーブル６２を参照して、取得した特徴点に対応するコードが特定できたか否かを判断する。コードテーブル６２に取得した特徴点の配置位置に一致するものがある場合には、コードが特定できる。コードが特定できた場合（Ｓ１４：ＹＥＳ）には、制御部５０は、処理をＳ１５に移す。他方、コードが特定できなかった場合（Ｓ１４：ＮＯ）には、制御部５０は、処理をＳ１６に移す。
Ｓ１５において、制御部５０は、コードを特定できた旨を、表示部６８に表示させる。その後、制御部５０は、本処理を終了する。
他方、Ｓ１６において、制御部５０は、エラーである旨を、表示部６８に表示させる。その後、制御部５０は、本処理を終了する。
【００３８】
ここで、透明層３２のパターン画像のみを読取可能な角度から読取部６５が画像を読み取った場合には、制御部５０は、透明層３２のパターン画像のみを得る。そして、透明層３２のパターン画像に対応するコードは、コードテーブル６２に記憶されている。よって、制御部５０は、Ｓ１４の処理においてコードが特定できる（Ｓ１４：ＹＥＳ）。
他方、透明層３２と、光輝層３１との両方のパターン画像を読取可能な角度から読取部６５が画像を読み取ったり、光輝層３１のパターン画像のみを読取可能な角度から読取部６５が画像を読み取ったりした場合には、制御部５０は、透明層３２のパターン画像のみを得ることがない。コードテーブル６２には、透明層３２のパターン画像に対応するコードのみが記憶されており、光輝層３１のパターン画像や、透明層３２と光輝層３１との両方のパターン画像に対応するコードは、記憶されていない。よって、制御部５０は、Ｓ１４において、取得した特徴点に対応するコードを特定できない（Ｓ１４：ＮＯ）。
【００３９】
＜印刷物１０のコピー品４０＞
次に、印刷物１０が複製された場合について説明する。
図１０は、本実施形態に係る印刷物１０のコピー時の照明光源２１とカメラ２３との位置関係を説明するための図である。
図１１は、本実施形態に係る印刷物１０のコピー品４０を説明するための図である。
図１０（Ａ）及び図１０（Ｂ）は、コピー機等の複製機の照明光源２１とカメラ２３と印刷物１０との位置関係を示す。印刷物１０の情報記録体３０は、図１０（Ａ）又は図１０（Ｂ）に示す照明光源２１から光が照射された状態で、カメラ２３によってその画像が取得される。
図１０（Ａ）は、照明光源２１とカメラ２３とが情報記録体３０に対して垂直方向に位置して、カメラ２３が画像を取得する場合である。また、図１０（Ｂ）は、照明光源２１が情報記録体３０に対してやや斜め方向から照射し、カメラ２３が情報記録体３０に対して垂直方向から撮影して画像を取得する場合である。いずれの場合においても、カメラ２３には、照明光源２１と情報記録体３０との位置関係によって、情報記録体３０の光輝層３１と透明層３２との両方の画像が捉えられる。
このようにして、カメラ２３が得た画像をもとに、複製機では、印刷物１０のコピー品４０が作製される。
【００４０】
そして、図１１（Ａ）に示すコピー品４０は、印刷物１０の情報記録体３０（図１（Ａ）参照）に対応する位置に、印刷体４５を有するものになる。この印刷体４５には、情報記録体３０の光輝層３１が有するパターン画像と、透明層３２が有するパターン画像との合成画像を有する。図１１（Ｂ）に示すように、印刷体４５は、インキ層４３を有する。インキ層４３は、一般的なカーボンを含む黒色インキからなる層である。よって、印刷体４５をいずれの領域（拡張反射領域、正反射領域等）からの観察角度で観察した場合であっても、合成画像のみが見える。
【００４１】
コピー品４０の印刷体４５を、上述した読取装置５を用いて読み取った場合、読取部６５の読取角度をどのような角度にしても、制御部５０は、情報記録体３０の光輝層３１が有するパターン画像と、透明層３２が有するパターン画像との合成画像を得る。よって、制御部５０は、印刷体４５から、情報記録体３０の透明層３２が有するパターン画像に対応するコードを読み取ることができない。
【００４２】
このように、本実施形態によれば、以下のような効果がある。
（１）情報記録体３０は、画像Ｃ１と画像Ｃ２との合成画像を有する。そして、画像Ｃ１及び画像Ｃ２は、画像Ｃ２を周波数変換した空間周波数領域Ｆ２に表された特徴点が有する規則性を、画像Ｃ１を周波数変換した空間周波数領域Ｆ１に表された特徴点によって阻害する関係にあるものである。よって、画像Ｃ１と、画像Ｃ２との両方を認識可能な場合には、画像Ｃ１と、画像Ｃ２との合成画像を周波数変換した空間周波数領域Ｆに表された特徴点から、画像Ｃ２を推定できないようにできる。
（２）情報記録体３０上の画像Ｃ１を周波数変換した空間周波数領域Ｆ１に表された特徴点により表される反復形状Ｔ１と、画像Ｃ２を周波数変換した空間周波数領域Ｆ２に表された特徴点から作成される反復形状Ｔ２とが相似形状である。よって、画像Ｃ１と、画像Ｃ２との両方を認識可能な場合には、画像Ｃ１と、画像Ｃ２との合成画像を周波数変換した空間周波数領域Ｆに表された特徴点から、画像Ｃ２を推定できないようにできる。
【００４３】
（３）情報記録体３０が有する画像Ｃ２を周波数変換した空間周波数領域Ｆ２に表された特徴点が、コードを示すものにできる。よって、情報記録体３０に印刷された画像Ｃ１と、画像Ｃ２との両方が認識できる場合には、画像Ｃ１と、画像Ｃ２との合成画像を周波数変換した空間周波数領域Ｆに表された特徴点からコードを推定できないようにできる。特に、情報記録体３０をコピーしたコピー品４０は、いずれの観察角度であっても画像Ｃ１と画像Ｃ２との合成画像が認識できるので、コピー品４０からは、コードを推定できないようにできる。よって、情報記録体３０を、例えば、真贋判定に用いることができる。
【００４４】
（４）画像Ｃ１は、光輝層３１に有し、画像Ｃ２は、透明層３２が有するものであるので、情報記録体３０の観察角度によって、画像Ｃ１と、画像Ｃ２とを切り替えて観察できる。そして、光輝層３１は、光輝性材料を含む光沢インキ等で作製でき、透明層３２は、透明なインキ等で作製できるので、切り替えられる印刷が安価にできる。
【００４５】
（５）読取装置５によって、画像Ｃ２のみが見える観察角度で情報記録体３０を読み取ることで、読取装置５は、画像Ｃ２を周波数変換した空間周波数領域Ｆ２に表された特徴点が表すコードを読み取ることができる。また、読取装置５は、画像Ｃ１と画像Ｃ２とからなる合成画像のみを観察可能なコピー品４０の印刷体４５を読み取った場合には、合成画像を周波数変換した空間周波数領域Ｆに表された特徴点を読み取るので、読み取った特徴点からはコードを読み取れなくできる。
【００４６】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４７】
（変形形態）
（１）本実施形態では、情報記録体３０の光輝層３１及び透明層３２には、前景部及び背景部からなるパターン画像が印刷されているものとして説明した。しかし、これに限定されない。例えば、図１２に示すように、光輝層３１の画像Ｃｘと、透明層３２の画像Ｃｙとが、前景部のみからなるパターン画像であってもよい。その場合には、画像Ｃｘ及び画像Ｃｙの印刷領域Ｃｘａ及びＣｙａを網点面積率１００％で印刷し、印刷領域Ｃｘａ及びＣｙａと、印刷しない非印刷領域Ｃｘｂ及びＣｙｂとによって、２値でパターン画像を表したものになる。
【００４８】
（２）本実施形態では、情報記録体３０の光輝層３１のパターン画像を周波数変換した空間周波数領域Ｆ１における特徴点により表される形状及び透明層３２のパターン画像を周波数変換した空間周波数領域Ｆ２における特徴点により表される形状を、円周の反復形状である例を説明したが、これに限定されない。例えば、多角形の反復形状や、線形状の反復形状等であってもよい。
（３）本実施形態では、情報記録体３０の光輝層３１のパターン画像を周波数変換した空間周波数領域Ｆ１における特徴点及び透明層３２のパターン画像を周波数変換した空間周波数領域Ｆ２における特徴点が、円周形状、格子形状に現れる画像である例を説明したが、これに限定されない。例えば、線形状に現れる画像であってもよい。
【００４９】
（４）本実施形態では、光輝層３１及び透明層３２からなる情報記録体３０を例に説明した。しかし、これに限定されない。各パターン画像が、光輝材料と、透明材料とから形成されていればよく、層に印刷されていなくてもよい。また、コードを埋め込むパターン画像の印刷を、明度の高い色要素で構成し、コードを阻害するパターン画像の印刷を、明度の低い色要素で構成したものであってもよい。
（５）本実施形態では、情報記録体３０を有する印刷物１０を、チケットを例に説明したが、これに限定されない。例えば、ゲームで使用するカード類や、セキュリティ保護のラベル等であってもよい。
（６）本実施形態では、読取装置５を、パーソナルコンピュータを例に説明したが、これに限定されない。カメラを備えたスマートフォン等の携帯端末であってもよい。その場合には、カメラが読み取った画像に対して処理を行えばよい。
【符号の説明】
【００５０】
５      読取装置
１０    印刷物
２１    照明光源
２３    カメラ
３０    情報記録体
３１    光輝層
３２    透明層
４０    コピー品
４３    インキ層
４５    印刷体
５０    制御部
５１    画像受付部
５２    周波数変換部
５３    解析部
５４    コード特定部
６０    記憶部
６２    コードテーブル
６５    読取部
Ｃ１，Ｃ２，Ｃｘ，Ｃｙ  パターン画像
Ｃ１ａ，Ｃ２ａ  前景部
Ｃ１ｂ，Ｃ２ｂ  背景部
Ｄ０，Ｄ１，Ｄ２，Ｄ０−２，Ｄ１−２，Ｄ２−２  特徴点
Ｆ，Ｆ１，Ｆ２  空間周波数領域
Ｇ０，Ｇ１，Ｇ２  特徴点
Ｔ０，Ｔ１，Ｔ２  反復形状
Ｔ１０，Ｔ１１，Ｔ１２，Ｔ１０−２，Ｔ１１−２，Ｔ１２−２  円周形状
Ｔ２０，Ｔ２１，Ｔ２２  格子形状
【図１】
0006631000.tif 000002
【図２】
0006631000.tif 000003
【図３】
0006631000.tif 000004
【図４】
0006631000.tif 000005
【図５】
0006631000.tif 000006
【図６】
0006631000.tif 000007
【図７】
0006631000.tif 000008
【図８】
0006631000.tif 000009
【図９】
0006631000.tif 000010
【図１０】
0006631000.tif 000011
【図１１】
0006631000.tif 000012
【図１２】
0006631000.tif 000013